【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
カメラアセンブリであって、
中心軸を有するハウジングと、
前記ハウジングの前端部内に受容された摺動式カメラカセットとを含み、
前記カメラカセットが、
前記ハウジング内に設けられかつ該ハウジングの前記中心軸に対して実質的に平行に配列された１対の長手方向スライド案内凹部のそれぞれに補完的にかつ摺動可能に受容されるように構成された１対の脚部を備えたカメラ摺動体であって、前記カメラ摺動体は、前記ハウジングに対して予め定められた固定された角度方向で前記ハウジング内に受容される、該カメラ摺動体と、
前記カメラ摺動体の後端部に設けられたカメラカセット電気コネクタと、
前記カメラカセット電気コネクタに電気的に接続されかつ光軸を有するカメラと、
前記カメラ摺動体の前端部に配置され、前記カメラを前記ハウジングの前記前端部に結合させるためのカメラ結合装置とを含み、
前記カメラ結合装置が、前記カメラの前記光軸が前記ハウジングの前記中心軸と略同軸になりかつ該中心軸に対して選択された角度をなすように調整されるように適合されていることを特徴とするカメラアセンブリ。
【請求項２】
前記カメラ結合装置が、
前記カメラ摺動体の前記前端部に結合され、中央開口部を有する第１の環状リングと、
前記第１のリングの前記中央開口部が前記ハウジングの前記中心軸と略同軸をなして配置されるように、前記第１のリングを前記ハウジングの前記前端部に結合させる複数の第１の締結具と、
中央開口部を有し、前記カメラの前記光軸が前記中央開口部と略同軸になるように裏面に前記カメラが取り付けられた第２の環状リングと、
前記第２のリングの前記中央開口部が前記第１のリングの前記中央開口部と略同軸をなして配置されるように、かつ前記カメラの前記光軸が前記ハウジングの前記中心軸と略同軸になるように、前記第２のリングを前記第１のリングに結合させる複数の第２の締結具と、
前記カメラの前記光軸と前記ハウジングの前記中心軸とがなす角度を選択された値になるように調整するための角度調整機構とを含むことを特徴とする請求項１に記載のカメラアセンブリ。
【請求項３】
前記角度調整機構が、前記第２のリングに配置された３つの調整ねじを含み、前記各調整ねじが、前記第１のリングと接触する遠位端を有し、
前記第２のリング内の前記調整ねじの選択的な軸方向変位により、前記カメラの前記光軸と前記ハウジングの前記中心軸とがなす前記角度が前記選択された値になるように調整するようにしたことを特徴とする請求項２に記載のカメラアセンブリ。
【請求項４】
前記カメラが、フレキシブルワイヤリングハーネスまたはプリント基板のうちの少なくとも一方を介して前記カメラカセット電気コネクタに電気的に接続されていることを特徴とする請求項１に記載のカメラアセンブリ。
【請求項５】
前記カメラカセットと前記ハウジングとの間に配置されたシールをさらに含むことを特徴とする請求項１に記載のカメラアセンブリ。
【請求項６】
前記シールが、
前記第１のリングと前記ハウジングとの間に配置されたガスケットと、
前記第２のリングと前記第１のリングとの間に配置されたＯリングとを含むことを特徴とする請求項５に記載のカメラアセンブリ。
【請求項７】
前記ハウジングの後端部内に受容された摺動式電子部品カセットをさらに含み、
前記電子部品カセットが、
前記ハウジングの前記１対の長手方向スライド案内凹部のそれぞれに摺動可能に受容されるように構成された１対の脚部を備えた電子部品カセット摺動体と、
前記電子部品カセット摺動体の前端部に設けられかつ前記カメラカセットの前記電気コネクタに補完的に差し込み係合された電子部品カセット電気コネクタと、
前記電子部品カセット摺動体上に設けられかつ前記電子部品カセットの前記電気コネクタに電気的に接続可能な少なくとも１つのプリント基板とを含むことを特徴とする請求項１に記載のカメラアセンブリ。
【請求項８】
前記ハウジングの前記後端部に結合されかつ該後端部を閉鎖する後端プレートと、
前記後端プレートと前記ハウジングとの間に配置された密閉ガスケットとをさらに含むことを特徴とする請求項７に記載のカメラアセンブリ。
【請求項９】
前記カメラが、赤外線ビデオカメラ、白黒ビデオカメラ、暗視装置（ＮＶＤ）付ビデオカメラまたはカラービデオカメラを含むことを特徴とする請求項１に記載のカメラアセンブリ。
【請求項１０】
前記カメラが、焦点合わせまたはズーミングのうちの少なくとも一方が可能な光学素子を含むことを特徴とする請求項１に記載のカメラアセンブリ。
【請求項１１】
前記ハウジングに結合されかつ、前記カメラの前記光軸の方位角または仰俯角のうちの少なくとも一方を変化させるように操作可能なパン・チルト機構をさらに含むことを特徴とする請求項１に記載のカメラアセンブリ。
【請求項１２】
前記パン・チルト機構が、遠隔操作可能であることを特徴とする請求項１１に記載のカメラアセンブリ。
【請求項１３】
請求項１に記載の前記カメラの前記光軸を前記カメラアセンブリの前記ハウジングの前記中心軸に合わせる方法であって、
目標物を提供するステップと、
前記カメラを前記ハウジングの前記前端部内に装着し、前記カメラの前記光軸が前記ハウジングの前記中心軸と略同軸になるように前記カメラ結合装置を用いて前記カメラを前記ハウジングの前記前端部に結合させるステップと、
前記カメラを用いて、ディスプレイ上において前記目標物の焦点画像を形成するステップと、
前記カメラ結合装置を用いて、前記ディスプレイの中心が前記目標物の中心から或る選択された垂直及び水平距離離れた所にくるまで、前記ハウジングの前記中心軸に対する前記カメラの前記光軸の所望の角度方向に相当する前記ハウジングに対する前記カメラの角度方向を調整するステップとを含むことを特徴とする方法。
【請求項１４】
請求項１に記載の前記カメラの前記光軸を前記カメラハウジングの前記中心軸に合わせる方法であって、
前記カメラハウジングと実質的に同一の基準ハウジングを提供するステップと、
目標物を提供するステップと、
前記カメラを前記基準ハウジングの前端部内に装着し、前記カメラの前記光軸が前記基準ハウジングの前記中心軸と略同軸になるように前記カメラを前記基準ハウジングの前端部に結合させるステップと、
前記カメラを用いて、ディスプレイ上において前記目標物の焦点画像を形成するステップと、
前記ディスプレイの中心が前記目標物の中心から或る選択された垂直及び水平距離離れた所にくるまで、前記ハウジングの前記中心軸に対する前記カメラの前記光軸の所望の角度方向に相当する前記基準ハウジングに対する前記カメラの角度方向を調整するステップと、
前記カメラを前記カメラハウジングの前端部内に装着しかつ該前端部に結合させたときに、前記カメラの前記光軸が前記カメラハウジングの前記中心軸と略同軸になりかつ該中心軸に対して前記選択された角度をなす状態にした後に、前記基準ハウジングから前記カメラを取り外すステップとを含むことを特徴とする方法。
【請求項１５】
カメラアセンブリのためのスライドイン式カセットであって、
前記カメラアセンブリの１対の長手方向案内凹部のそれぞれに補完的にかつ摺動可能に受容されるように構成された１対の脚部を備えた摺動体あって、前記カメラ摺動体は、前記カメラアセンブリに対して予め定められた固定された角度方向で前記カメラアセンブリ内に受容される、該摺動体と、
前記摺動体の後端部に配置された電気コネクタと、
前記摺動体の前端部に結合され、中央開口部を有する第１の環状リングと、
中央開口部を有し、該中央開口部と前記第１のリングの前記中央開口部とが互いに略同軸をなして配置されるように前記第１のリングの前面に結合された第２の環状リングと、
前記電気コネクタに電気的に接続可能であり、前記カメラの光軸が前記第１及び第２のリングの前記それぞれの中央開口部と略同軸をなすように前記第２のリングに取り付けられたカメラと、
前記第１のリングと前記第２のリングとがなす角度を選択された値になるように選択的に調整するための角度調整機構とを含むことを特徴とするスライドイン式カセット。
【請求項１６】
前記角度調整機構が、前記第２のリング内に配置された３つの調整ねじを含み、前記各調整ねじが、前記第１のリングと接触する遠位端を有し、
前記第２のリング内の前記調整ねじの選択的な軸方向変位により、前記第１及び第２のリング間で範囲が定められる角度を前記選択された値になるように調整するようにしたことを特徴とする請求項１５に記載のスライドイン式カセット。
【請求項１７】
前記電気コネクタがプリント基板に電気的に接続され、前記カメラがフレキシブルワイヤリングハーネスを介して前記プリント基板に電気的に接続されるようにしたことを特徴とする請求項１５に記載のスライドイン式カセット。
【請求項１８】
前記カメラが、赤外線ビデオカメラ、白黒ビデオカメラ、暗視装置（ＮＶＤ）付ビデオカメラまたはカラービデオカメラを含み、かつ焦点合わせまたはズーミングのうちの少なくとも一方が可能な光学素子を含むことを特徴とする請求項１５に記載のスライドイン式カセット。
【請求項１９】
双眼カメラアセンブリであって、
１対の、請求項１に記載の前記カメラアセンブリと、
前記カメラのそれぞれの光軸が互いに横方向に離間しかつ互いに平行に整合されるように、前記１対のカメラアセンブリのそれぞれのハウジングに結合されたパン・チルト機構とを含み、
前記パン・チルト機構が、前記１対のカメラアセンブリを互いに一緒にパン及びチルトするように操作可能であるようにしたことを特徴とする双眼カメラアセンブリ。
【請求項２０】
前記１対のカメラアセンブリのうちの一方のカメラアセンブリの前記カメラが、赤外線ビデオカメラを含み、他方のカメラアセンブリの前記カメラが、白黒ビデオカメラ、暗視装置（ＮＶＤ）付ビデオカメラまたはカラービデオカメラを含むようにしたことを特徴とする請求項１９に記載の双眼カメラアセンブリ。